【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
カートリッジに駆動力を伝えるための傾動可能な駆動伝達部材を備える画像形成装置本体に着脱可能なカートリッジにおいて、
感光体ドラムと、
前記駆動伝達部材の傾斜角度を制御するため、前記感光体ドラムに対して移動可能な可動部材であって、（ａ）前記感光体ドラムに対する前記駆動伝達部材の傾斜角度を小さくさせるための第１の位置と、（ｂ）前記第１の位置から退避した第２の位置と、に移動可能な可動部材と、
を有するカートリッジ。
【請求項２】
前記カートリッジは、前記駆動伝達部材に設けられた出力カップリング部と係合することによって前記感光体ドラムを回転させるための駆動力を受け取るために前記感光体ドラムの端部に設けられたカップリング部材を有する請求項１に記載のカートリッジ。
【請求項３】
前記可動部材は、前記第１の位置に位置する際に、前記駆動伝達部材の前記出力カップリング部の中心を前記カップリング部材の中心に近づけるべく前記駆動伝達部材の前記傾斜角度を小さくさせるように構成されている請求項２に記載のカートリッジ。
【請求項４】
前記カップリング部材は、前記感光体ドラムの内部に向かって退避した退避位置と、前記感光体ドラムの外部に向かって進出した進出位置と、に移動可能である請求項２又は３に記載のカートリッジ。
【請求項５】
前記カートリッジは、前記駆動伝達部材に設けられた出力ギア部と係合することによって前記駆動力を受けるためのギア部材を有する請求項１乃至４のいずれか１項に記載のカートリッジ。
【請求項６】
前記可動部材は、前記第１の位置に位置する際に前記駆動伝達部材の前記出力ギア部が前記カートリッジの前記ギア部材に係合可能となるように、前記駆動伝達部材の傾斜角度を小さくさせるように構成される請求項５に記載のカートリッジ。
【請求項７】
前記カートリッジは、前記駆動伝達部材に設けられた出力カップリング部と係合することによって前記感光体ドラムを回転させるための駆動力を受け取るため、前記感光体ドラムの端部に設けられたカップリング部材と、
前記駆動伝達部材に設けられた出力ギア部と係合することによって駆動力を受けるためのギア部材と、
を有する請求項１に記載のカートリッジ。
【請求項８】
前記感光体ドラムの軸線方向において、前記ギア部材の少なくとも一部は前記カップリング部材よりも外側に位置する請求項７に記載のカートリッジ。
【請求項９】
前記ギア部材は、前記出力ギア部から駆動力を受けた際に、前記駆動伝達部材を前記カップリング部材に近づける力を生じさせるように構成されている請求項７又は８に記載のカートリッジ。
【請求項１０】
前記ギア部材は、ハス歯ギアである請求項５乃至９のいずれか１項に記載のカートリッジ。
【請求項１１】
前記カートリッジは、前記感光体ドラムに形成された潜像を現像するための現像ローラをさらに有し、
前記ギア部材は、前記現像ローラを回転させるための駆動力を受けるように構成されている請求項５乃至１０のいずれか１項に記載のカートリッジ。
【請求項１２】
前記可動部材を動かすために操作されるように構成された操作部材を有する請求項１乃至１１のいずれか１項に記載のカートリッジ。
【請求項１３】
前記操作部材は、前記画像形成装置本体に設けられた開閉部材が閉じられることによって前記開閉部材から力を受けるように構成された請求項１２に記載のカートリッジ。
【請求項１４】
前記カートリッジは、
前記駆動伝達部材と当接可能な挟み込み部を有し、
前記可動部材が前記第１の位置にある際に、前記可動部材と前記挟み込み部の間で前記駆動伝達部材を挟み込むことによって、前記駆動伝達部材の前記傾斜角度を小さくさせるように構成された請求項１乃至１３のいずれか１項に記載のカートリッジ。
【請求項１５】
前記可動部材は、前記第１の位置に位置する際に、前記駆動伝達部材に作用するための作用部を有する請求項１乃至１４のいずれか１項に記載のカートリッジ。
【請求項１６】
前記作用部は、前記駆動伝達部材を付勢するための付勢部である請求項１５に記載のカートリッジ。
【請求項１７】
前記可動部材が前記第１の位置に位置する際の前記作用部から前記感光体ドラムの軸線までの距離よりも、前記可動部材が前記第２の位置に位置する際の前記作用部から前記感光体ドラムの軸線までの距離の方が大きい請求項１５又は１６に記載のカートリッジ。
【請求項１８】
前記感光体ドラムの軸線に沿って見た際に、前記可動部材は、（ａ）前記第１の位置に位置する際に、前記作用部を前記感光体ドラムの外周面の近傍に位置させ、（ｂ）前記第２の位置に位置する際に、前記第１の位置に位置する際よりも前記作用部を前記感光体ドラムの軸線から遠ざけるよう構成されている請求項１５乃至１７のいずれか１項に記載のカートリッジ。
【請求項１９】
前記カートリッジは、前記駆動伝達部材に設けられた出力カップリング部と係合することによって前記感光体ドラムを回転させるための駆動力を受け取るため、前記感光体ドラムの端部に設けられたカップリング部材を有し、
前記可動部材が前記第１の位置にある際に、前記作用部の少なくとも一部は、前記感光体ドラムの軸線方向において前記カップリング部材よりも外側に位置する請求項１５乃至１８のいずれか１項に記載のカートリッジ。
【請求項２０】
前記可動部材は、前記第１の位置に位置する際よりも前記作用部を前記感光体ドラムの軸線にさらに近づけることが可能な請求項１９に記載のカートリッジ。
【請求項２１】
前記可動部材は、搖動可能である請求項１乃至２０のいずれか１項に記載のカートリッジ。
【請求項２２】
前記可動部材は、スライド可能に支持される請求項１乃至２０のいずれか１項に記載のカートリッジ。
【請求項２３】
前記可動部材は、前記画像形成装置本体に設けられた本体側ガイド部にガイドされるためのガイド部を有する請求項１乃至２１のいずれか１項に記載のカートリッジ。
【請求項２４】
前記可動部材の前記ガイド部は、前記軸線方向において外側に突出する請求項２３に記載のカートリッジ。
【請求項２５】
前記可動部材を付勢するための弾性部材を有する請求項１乃至２４のいずれか１項に記載のカートリッジ。
【請求項２６】
前記可動部材は、前記第２の位置から前記第１の位置に向かって付勢される請求項１乃至２５のいずれか１項に記載のカートリッジ。
【請求項２７】
前記可動部材の移動を前記第１の位置にて止めるための停止部を有する請求項１乃至２６のいずれか１項に記載のカートリッジ。
【請求項２８】
前記可動部材は、前記第１の位置から前記第２の位置に向かって付勢される請求項１乃至２５のいずれか１項に記載のカートリッジ。
【請求項２９】
前記可動部材が前記感光体ドラムの軸線の回りをまわるように構成された請求項１乃至１６のいずれか１項に記載のカートリッジ。
【請求項３０】
前記感光体ドラムの軸線に沿って見た際に、前記可動部材は前記感光体ドラムの周面の近傍に位置しており、前記作用部は前記感光体ドラムの周面に沿って移動するように構成された請求項１乃至１６及び２９のいずれか１項に記載のカートリッジ。
【請求項３１】
少なくとも前記可動部材の一部が、前記感光体ドラムの軸線方向においてせり出している請求項２９又は３０に記載のカートリッジ。
【請求項３２】
前記可動部材は前記カップリング部材の近傍に設けられ、前記カートリッジの内部に向かって退避した退避位置と、前記カートリッジの外部に向かって進出した進出位置と、に移動可能である請求項１乃至１６のいずれか１項に記載のカートリッジ。
【請求項３３】
前記可動部材は前記感光体ドラムの端部に設けられる請求項３２に記載のカートリッジ。
【請求項３４】
前記カップリング部材は、前記感光体ドラムの内部に向かって退避した退避位置と、前記感光体ドラムの外部に向かって進出した進出位置と、に移動可能であり、
前記可動部材が前記退避位置から前記進出位置に移動した後に、前記カップリング部材が前記退避位置から前記進出位置に移動可能に構成されている請求項３２又は３３に記載のカートリッジ。
【請求項３５】
前記可動部材は、前記駆動伝達部材を付勢するための傾斜部を有し、前記傾斜部は前記駆動伝達部材と接触することで前記駆動伝達部材の前記傾斜角度を小さくさせるように傾斜している請求項３２乃至３４のいずれか１項に記載のカートリッジ。
【請求項３６】
カートリッジに駆動力を伝達するための駆動伝達部材を備える画像形成装置本体と、
請求項１乃至３５のいずれか１項に記載のカートリッジと、
を有する画像形成装置。